(57)【要約】【課題】  エアコンの外気導入用のフィルタ装置を旋回台内に設けてキャビン室内の居住空間を広くすると共に、旋回台内にフィルタ装置を設けたものであっても、冷却効率をおとすことがないバックホーを提供する。【解決手段】  走行装置２上に上下軸回りに回動自在に支持された旋回台９を備え、この旋回台９は、底部の旋回基板２６と、該旋回基板２６の上方に間隔をおいて配置されたステップ２８とを備え、ステップ２８上にキャビン１２を搭載すると共に、該ステップ２８の上方側のキャビン１２室内に該キャビン１２室内の空調を行うエアコン本体６０を備え、該エアコン本体６０にフィルタ装置７０を介してキャビン１２室外の外気を取り入れるようにした旋回作業機において、フィルタ装置７０をステップ２８の下方側の旋回台９内に配置すると共に、旋回台９内に、該旋回台９の壁部１１ａに形成した外気取入れ口２１から取り入れられる外気をフィルタ装置７０に案内する外気導入ダクト４２を設ける。【選択図】図８
2006273055.tif 000002
【特許請求の範囲】
【請求項１】
走行装置（２）上に上下方向の旋回軸心（Ｘ）回りに回動自在に支持された旋回台（９）を備え、この旋回台（９）は、底部を構成する旋回基板（２６）と、この旋回基板（２６）の上方に間隔をおいて取り付けられていて旋回台（９）の上部を構成するステップ（２８）とを備え、この旋回台（９）のステップ（２８）上にキャビン（１２）を搭載すると共に、該ステップ（２８）の上方側のキャビン（１２）室内に該キャビン（１２）室内の空調を行うエアコン本体（６０）を備え、このエアコン本体（６０）にフィルタ装置（７０）を介してキャビン（１２）室外の外気を取り入れるようにした旋回作業機において、
前記フィルタ装置（７０）をステップ（２８）の下方側の旋回台（９）内に配置すると共に、旋回台（９）内に、該旋回台（９）の壁部（１１ａ）に形成した外気取入れ口（２１）から取り入れられる旋回台（９）外の外気をフィルタ装置（７０）に案内する外気導入ダクト（４２）を設けたことを特徴とする旋回作業機。
【請求項２】
フィルタ装置（７０）は、ステップ（２８）側に取り付けられていると共にフィルタ（９８）を収容するフィルタ収容部材（９７）を備えており、外気はこのフィルタ収容部材（９７）の下面側に設けた開口（９１）からフィルタ（９８）へと流通するように構成され、外気導入ダクト（４２）は旋回基板（２６）に取り付けられていて、ステップ（２８）にフィルタ装置（７０）を取り付けた状態で該ステップ（２８）を旋回基板（２６）に取り付けることにより、フィルタ収容部材（９７）の下面側の前記開口（９１）と連通する外気流出口（４７）を外気導入ダクト（４２）に設けたことを特徴とする請求項１に記載の旋回作業機。
【請求項３】
エアコン本体（６０）は、ステップ（２８）の上方側に設けられた運転席（６４）の下方に配置され、このエアコン本体（６０）の側方で且つフィルタ装置（７０）の上方に、キャビン（１２）室内の内気をエアコン本体（６０）に取り入れる内気導入状態と、キャビン（１２）室外の外気を外気導入ダクト（４２）及びフィルタ装置（７０）を介してエアコン本体（６０）に取り入れる外気導入状態とに切り換える内外気切換装置（６５）を設けたことを特徴とする請求項１又は２に記載の旋回作業機。
【請求項４】
ステップ（２８）に形成した開口部（８１）を塞ぐようにステップ（２８）に取り付けられる装着板（８２）を備え、この装着板（８２）の下面にフィルタ装置（７０）を前記開口部（８１）からステップ（２８）下方に突出するように設けたことを特徴とする請求項１〜３のいずれかに記載の旋回作業機。
【請求項５】
ステップ（２８）に形成した開口部（８１）を塞ぐようにステップ（２８）に取り付けられる装着板（８２）上に、運転席（６４）、エアコン本体（６０）及び内外気切換装置（６５）を取り付け、該装着板（８２）の下面にフィルタ装置（７０）を前記開口部（８１）からステップ（２８）下方に突出するように設けたことを特徴とする請求項３に記載の旋回作業機。
【発明の詳細な説明】
【技術分野】
【０００１】
本発明は、バックホー等の旋回作業機に関するものである。
【背景技術】
【０００２】
従来、旋回作業機として、走行装置上に上下方向の旋回軸心回りに回動自在に支持された旋回台を備え、この旋回台は、底部を構成する旋回基板と、この旋回基板の上方に間隔をおいて取り付けられていて旋回台の上部を構成するステップとを備え、この旋回台のステップ上にキャビンを搭載すると共に、ステップの上方側のキャビン室内に該キャビン室内の空調を行うエアコン本体を備え、このエアコン本体にフィルタ装置を介してキャビン室外の外気を取り入れるようにしたバックホーがある（特許文献１参照）。
【特許文献１】特開平２００４−２６８７９９号公報
【発明の開示】
【発明が解決しようとする課題】
【０００３】
前記従来のバックホーにあっては、フィルタ装置は、キャビン室内の右側側壁の前下部に配置されているので、該フィルタ装置がキャビン室内の居住空間（足元空間）を狭くするという問題がある。
そこで、フィルタ装置を旋回台内に設けることが考えられているが、旋回台内の、キャビン室外の外気をフィルタ装置を介してエアコン本体内に取り入れると、旋回台内には油圧ホース等が配置されているので旋回台内の空気は旋回台外の空気に比べて暖かいことから、冷却効率を悪くするという問題が生じる。
【０００４】
本発明は、前記問題点に鑑みて、エアコンの外気導入用のフィルタ装置を旋回台内に設けてキャビン室内の居住空間を広くすると共に、旋回台内にフィルタ装置を設けたものであっても、冷却効率をおとすことがない旋回作業機を提供することを目的とする。
【課題を解決するための手段】
【０００５】
前記技術的課題を解決するために本発明が講じた技術的手段は、走行装置上に上下方向の旋回軸心回りに回動自在に支持された旋回台を備え、この旋回台は、底部を構成する旋回基板と、この旋回基板の上方に間隔をおいて取り付けられていて旋回台の上部を構成するステップとを備え、この旋回台のステップ上にキャビンを搭載すると共に、ステップの上方側のキャビン室内に該キャビン室内の空調を行うエアコン本体を備え、このエアコン本体にフィルタ装置を介してキャビン室外の外気を取り入れるようにした旋回作業機において、
前記フィルタ装置をステップの下方側の旋回台内に配置すると共に、旋回台内に、該旋回台の壁部に形成した外気取入れ口から取り入れられる旋回台外の外気をフィルタ装置に案内する外気導入ダクトを設けたことを特徴とする。
【０００６】
また、フィルタ装置は、ステップ側に取り付けられていると共にフィルタを収容するフィルタ収容部材を備えており、外気はこのフィルタ収容部材の下面側に設けた開口からフィルタへと流通するように構成され、外気導入ダクトは旋回基板に取り付けられていて、ステップにフィルタ装置を取り付けた状態で該ステップを旋回基板に取り付けることにより、フィルタ収容部材の下面側の前記開口と連通する外気流出口を外気導入ダクトに設けるのがよい。
また、エアコン本体は、ステップの上方側に設けられた運転席の下方に配置され、このエアコン本体の側方で且つフィルタ装置の上方に、キャビン室内の内気をエアコン本体に取り入れる内気導入状態と、キャビン室外の外気を外気導入ダクト及びフィルタ装置を介してエアコン本体に取り入れる外気導入状態とに切り換える内外気切換装置を設けるのがよい。
【０００７】
また、ステップに形成した開口部を塞ぐようにステップに取り付けられる装着板を備え、この装着板の下面にフィルタ装置を前記開口部からステップ下方に突出するように設けるのがよい。
また、ステップに形成した開口部を塞ぐようにステップに取り付けられる装着板上に、
運転席、エアコン本体及び内外気切換装置を取り付け、該装着板の下面にフィルタ装置を前記開口部からステップ下方に突出するように設けるのがよい。
【発明の効果】
【０００８】
本発明によれば、エアコン本体に外気を取り入れるためのフィルタ装置を旋回台内に設けることにより、キャビン室内の居住空間を広くでき、且つ、旋回台内に外気導入ダクトを設けると共に旋回台の壁部に外気取入れ口を設け、外気取入れ口から取り入れられる旋回台外の外気を外気導入ダクトを介してフィルタ装置に案内するように構成することにより、旋回台内にフィルタ装置を設けたものであっても、冷却効率をおとすことがない。
【発明を実施するための最良の形態】
【０００９】
以下、本発明の実施の形態を図面を参照して説明する。
図１〜図３において、１は、旋回作業機として例示するバックホーであり、このバックホー１は、下部の走行装置２と、上部の旋回体３とから主構成されている。
走行装置２は、ゴム様弾性部材で主構成された無端帯状のクローラベルト４を油圧モータからなる走行モータＭによって回転駆動されるスプロケット５によって循環回走するように構成されたクローラ式走行体６を左右一対備えてなるクローラ式の走行装置が採用されている。
【００１０】
この走行装置２の前部には、油圧シリンダからなるドーザシリンダによって昇降動作されるドーザ７が設けられている。
旋回体３は、走行装置２のフレーム上に旋回ベアリング８を介して上下方向の旋回軸心Ｘ回りに左右旋回自在に支持された旋回台９と、この旋回台９の前部に備えられた作業装置（掘削装置）１０とを有する。旋回台９の左側の前部側には運転室を形成する（運転席６４を取り囲む）キャビン１２が搭載されている。
旋回台９の前部には、該前部に設けられた支持ブラケット１６に上下方向の軸心回りに左右揺動自在に支持されたスイングブラケット１７が支持されており、前記作業装置１０は、このスイングブラケット１７に基部側が左右方向の軸心廻りに回動自在に枢着されて上下揺動自在に支持されたブーム１８と、このブーム１８の先端側に左右方向の軸心廻りに回動自在に枢着されて前後揺動自在に支持されたアーム１９と、このアーム１９の先端側にスクイ・ダンプ動作可能に設けられたバケット２０とを備えている。
【００１１】
スイングブラケット１７は、旋回台の右側に備えられたスイングシリンダの伸縮によって揺動され、ブーム１８は、該ブーム１８とスイングブラケット１７との間に介装されたブームシリンダ２２の伸縮によって揺動され、アーム１９は、該アーム１９とブーム１８との間に介装されたアームシリンダ２３の伸縮によって揺動され、バケット２０は、該バケット２０とアーム１９との間に介装されたバケットシリンダ２４の伸縮によってスクイ・ダンプ動作され、これらスイングシリンダ、ブームシリンダ２２、アームシリンダ２３、バケットシリンダ２４は油圧シリンダによって構成されている。
【００１２】
旋回台９は、図４に示すように、該旋回台９の底部を構成する厚板からなる旋回基板２６と、この旋回基板２６の後部に取り付けられていて旋回台９の後部を構成すると共に作業装置１０との重量バランスを図るバランスウエイトの機能を有するプロテクタ（後部カバー）２７と、旋回基板２６の上方に間隔をおいて配置されていて旋回台９の左側前部の上部を構成するステップ２８と、旋回台９の左側側面及び左側前面を構成するカバー体１１と、旋回基板２６上に設けられた補強部材、機器やタンクの支持部材等とを有する。
前記旋回基板２６は、走行装置２のフレーム上に旋回ベアリング８を介して上下方向の旋回軸心Ｘ軸回りに回動自在に支持されており、油圧モータからなる旋回モータによって回転駆動される。
【００１３】
プロテクタ２７は、左右方向中央部のセンタプロテクタ２７Ａと、左右両側のサイドプロテクタ２７Ｂ，２７Ｃとから３分割されている（なお、センタプロテクタ２７Ａとサイドプロテクタ２７Ｂ，２７Ｃとが一体に形成されていてもよい）。
また、カバー体１１は、図１、図３、図１４、図１５に示すように、プロテクタ２７の下部前縁側から前方に延出された側壁部１１ａと、この側壁部１１ａの前端側で左右方向内方側に且つ支持ブラケット１６まで延出された前壁部１１ｂと、側壁部１１ａの上端縁
から右方に延びると共に前壁部１１ｂの上端縁から後方に延びる上壁部１１ｃと、側壁部１１ａの下端縁から右方に延びると共に前壁部１１ｂの下端縁から後方に延びる下壁部１１ｄとから構成されている。
【００１４】
前記下壁部１１ｄは、旋回台９に設けられた取付片１３にボルト１４によって取付固定されている。
このカバー体１１の側壁部１１ａの後部側には、前後方向に長い長孔２１ａを上下及び前後に並設することにより形成された外気取入れ口２１が設けられている。
また、下壁部１１ｄの、前記外気取入れ口２１に対応する部分には、前後方向に長い長孔２５ａを前後及び左右に並設してなる第２の外気取入れ口２５が形成されている。
旋回台９の後部上面及び右側上面は開放状とされ、旋回台９の後部開放部分はエンジンボンネット２９によって覆われ、旋回台９の右側開放部分は側部ボンネット３０で覆われ、キャビン１２と側部ボンネット３０との間はカバー部材１５によって覆われている。
【００１５】
旋回基板２６上には、メーンの補強体としての左右一対の縦リブ３１Ｌ，３１Ｒが前部から後部にわたって配置されて溶接等によって固定されていると共に、その他の補強部材及び各種機器を取り付けるためのブラケット、ステー等が溶接によって固定され、これらによって旋回フレームが構成されている。
左右の縦リブ３１Ｌ，３１Ｒの前端側は上下方向に高く形成され、左右の縦リブ３１Ｌ，３１Ｒの後部側は上下方向に低く形成され、左右の縦リブ３１Ｌ，３１Ｒのうちキャビン１２側（左側）の縦リブ３１Ｌの前端部は、キャビン１２よりも左右方向内方に配置され、該キャビン１２側の縦リブ３１Ｌの後部側は、左右方向外方に屈曲されて、キャビン１２の下方に配置されている。
【００１６】
前記支持ブラケット１６は、板材によって構成されていて左右の縦リブ３１Ｌ，３１Ｒの前部を上下方向で挟むように上下一対設けられており、旋回台９の前面から前方に突出している。
旋回基板２６上の後部には、エンジン３２が横置き配置され、該エンジン３２の右側にはラジエータ３３が配置され、エンジン３２の左側には油圧ポンプ３６が配置され、これらは前記エンジンボンネット２９によって覆われている。
また、旋回基板２６上の右側部でラジエータ３３の前側には油圧機器の作動油を貯留するする作動タンク３４が配置され、該作動油タンク３４の前側には燃料タンク３５が配置され、作動油タンク３４の前部の左右方向外側方にはバッテリー３７が配置され、該バッテリー３７の上方には当該バックホー１に装備された油圧機器を制御する制御弁を集約してなるコントロールバルブが配置されており、これらは前記側部ボンネット３０によって覆われている。
【００１７】
エンジンボンネット２９は、該エンジンボンネット２９内に配置され且つ旋回基板２６上に固定された支持フレーム３８（図５参照）によって支持されている。
図５〜図１０に示すように、前記ステップ２８は、１枚の板材によって構成されていて縦リブ３１Ｌ，３１Ｒの上端面よりも低い位置に配置され、旋回基板２６上に溶接等によって固定された支持ブラケット４０に防振部材４１を介して取り付けられて支持され、このステップ２８にキャビン１２の底部側が取り付けられており、該キャビン１２の後端側の上下方向中途部は、エンジンボンネット２９等を支持する前記支持フレーム３８に防振部材４１を介して支持されている。
【００１８】
支持ブラケット４０は、本実施の形態では、ステップ２８の前端側の左右両側及び後端側の左側で且つ該ステップ２８の下方側に配置されていて、ステップ２８は３カ所で支持されている（なお、ステップ２８の後端側の右側も支持するようにしてもよい）。
前記キャビン１２は、下端が開口した箱状に形成されており、このキャビン１２の下端開口をステップ２８で塞ぐように該キャビン１２がステップ２８上に載置されると共に、キャビン１２の下端開口縁部に沿って設けられた被取付壁５９がステップ２８にボルト等の締結具５７によって着脱自在に取り付けられており、ステップ２８上にキャビン１２を組んだ状態でステップ２８を支持ブラケット４０に取付可能とされている。
【００１９】
前記ステップ２８はキャビン１２の底部（床板）を構成しているといえ（キャビン１２
はキャビン本体と、このキャビン本体の下端開口を塞ぐステップ２８とから構成されているともいえる）、ステップ２８はキャビン１２の底面と略同じ大きさに形成されている。
なお、ステップ２８を支持ブラケット４０に取り付けた後にキャビン１２をステップ２８に組み付けるようにしてもよい。
このバックホー１には、キャビン１２室内の空気調節を行うエアコン（エアーコンディショナ）が装備されており、このエアコンは冷房装置と暖房装置とを備えている。
【００２０】
冷房装置は、冷媒を圧縮するコンプレッサーと、このコンプレッサーで圧縮された冷媒を放熱させながら凝縮・液化させるコンデンサー（放熱器）と、このコンデンサーで液化された冷媒を減圧して気化しやすい状態とする膨張弁と、冷媒を気化させて周囲から熱を奪って周囲を低温状態とするエバポレータ(蒸発器)とを備えてなる。
暖房装置は、エンジン３２の熱で熱せられた温媒をヒータに送ると共に該ヒータからエンジン側に戻すように温媒を循環させるようにした構造のものが採用されている。
このエアコンのエアコン本体６０は、前記エバポレータとヒータと送風機（ブロワ）を備え、キャビン１２室内に配置されており、また、コンプレッサーと、放熱器と、膨張弁等はエンジンボンネット２９内に配置されている。
【００２１】
図７〜図１６に示すように、ステップ２８の上側には、走行装置２を操縦する左右一対の走行レバー６１、スイングブラケット１７を揺動操作するスイングペダル、バケット２０の代わりに装着される油圧アタッチメント等を操作するＳＰペダル、運転席６４、エアコン本体６０、キャビン１２室外の外気をステップ２８の下方側からエアコン本体６０に取り入れる外気導入状態とステップ２８上方のキャビン１２室内の内気をエアコン本体６０に取り入れる内気導入状態とに切り換える内外気切換装置６５と、エアコン本体６０からの空調空気をキャビン１２室内に送出させる空調ボックス６６等の機器が配置されてステップ２８に取り付けられ、ステップ２８の下側には、左右の走行レバー６１によって操作されることで走行用制御弁を制御する走行用パイロットバルブ６７、スイングペダルによって操作されることでスイング用制御弁を制御するスイング用パイロットバルブ、ＳＰペダルによって操作されることでＳＰ用制御弁を制御するＳＰ用パイロットバルブ、外気取り入れ用のフィルタ装置７０、エアコン本体６０から空調ボックス６６へ空調空気を送る送風ダクト７１、エアコン本体６０のドレン水を受けるドレン受け５１等の機器が配置されてステップ２８に取り付けられており、ステップ２８にこれらの機器を組み付けた後に、該ステップ２８を、旋回基板２６上の支持ブラケット４０に取り付けることができるように構成されており、組み付けの容易化が図られている。
【００２２】
なお、左右の走行レバー６１はステップ２８の前部の左右方向中央側に配置され、スイングペダルは左右走行レバー６１の一側方（右側方）に配置され、ＳＰペダルは左右走行レバーの他側方（左側方）に配置されている。
また、左右の走行レバー６１は、走行装置２の左右のクローラ式走行体６をそれぞれ独立して操作するものであり、走行用パイロットバルブ６７の左右の操作部には、それぞれ走行ペダル７７が設けられており、該ペダル７７の踏み込み操作によっても走行装置２が操作できるようになっている。
【００２３】
運転席６４は、ステップ２８の後部の左右方向中央側（左右走行レバー６１の後方）に配置され、エアコン本体６０は運転席６４とステップ２８との間に配置され、内外気切換装置６５は運転席６４とステップ２８との間で且つエアコン本体６０の側方（左側方）に配置され、フィルタ装置７０は内外気切換装置６５の下方側（エアコン本体６０の側方側で且つステップ２８の下方）に配置されている。
エアコン本体６０は、送風機によって、左側面からキャビン１２室内又はキャビン１２室外の外気を導入し、右側下面から空調空気を送り出すように構成されている。
【００２４】
前記ドレン受け５１は、このエアコン本体６０の下方側で且つステップ２８の下面側に配置され、エアコン本体６０には、ステップ２８を貫通して前記ドレン受け５１に挿入されるドレンパイプが複数設けられ、ドレン受け５１には、旋回基板２６を貫通する排水パイプ５２が取り付けられ、エアコン本体６０から出るドレン水は、ドレンパイプを介してドレン受け５１に流され、このドレン受け５１から排水パイプ５２を介して旋回台９の下
方側に落とされる。
空調ボックス６６は、ステップ２８の前部右側に配置され、送風ダクト７１はエアコン本体６０の右側下方から空調ボックス６６の下方にわたるように設けられている。
【００２５】
前記走行用パイロットバルブ６７、スイング用パイロットバルブ、ＳＰ用パイロットバルブ、フィルタ装置７０、送風ダクト７１、ドレン受け５１は、ステップ２８の下面から下方に突出するように設けられており、ステップ２８の下面には、これらの機器よりも下方に突出するように仮置き足７２が設けられている。
この仮置き足７２は、ステップ２８の前後にそれぞれ左右一対設けられていて（したがって、本実施の形態では４本設けられている）、工場の床面等の平坦な面上でステップ２８を床面等から浮かせた状態で支持することができる。
【００２６】
ステップ２８を仮置き足７２で支持することにより、ステップ２８の下方側に機器の配置空間が確保できるので、ステップ２８の下面から下方に突出するように取り付けられる機器の組み付けが容易に行える。
また、ステップ２８に機器を組み付けた状態で、任意の場所に置いておくこともできる（仮置きすることができる）。
なお、ステップ２８を３本又は５本以上の仮置き足７２で支持するようにしてもよい。
また、ステップ２８を支持できる形状のものであれば、仮置き足７２は１又は２個であってもよい。
【００２７】
また、仮置き足７２は、ステップ２８が支持ブラケット４０に取り付けられた状態では、その下端が旋回基板２６から上方に離れている。
前記ステップ２８の後部には開口部８１が形成され、この開口部８１はステップ２８上面側に着脱自在に取り付けられる装着板８２によって上方から塞がれ、この装着板８２上に、運転席６４と、エアコン本体６０と、内外気切換装置６５とが取り付けられ、装着板８２の下面側にフィルタ装置７０が取り付けられており、該装着板８２に運転席６４、エアコン本体６０、内外気切換装置６５、フィルタ装置７０を組んだ状態でステップ２８に装着板８２を取り付けることができ、組み付けの容易化が図れるように構成されている。
【００２８】
なお、装着板８２をステップ２８に取り付けた後に、運転席６４、エアコン本体６０、内外気切換装置６５、フィルタ装置７０を組み込むようにしてもよい。
また、装着板８２にフィルタ装置７０を取り付けた後に装着板８２をステップ２８に取り付け、その後に、運転席６４、エアコン本体６０、内外気切換装置６５を組み込むようにしてもよい。
前記構成において、装着板８２にフィルタ装置７０を取り付けた後、装着板８２をステップ２８に取り付けることにより、フィルタ装置７０の組み付けの容易化が図れる。
【００２９】
前記装着板８２上には、シート台８３がボルト等によって固定され、このシート台８３上に運転席６４が装着されている。
シート台８３は、左右の側壁８３ａと、これら左右側壁８３ａの上端間にわたって設けられた上壁８３ｂとを有し、左右側壁８３ａの下端が装着板８２に溶接等によって固定され、シート台８３の上壁８３ｂ上に運転席６４が装着されており、運転席６４（シート台８３の上壁８３ｂ）の下方側に機器配置空間が設けられ、このシート台８３の上壁８３ｂ下方の機器配置空間にエアコン本体６０と内外気切換装置６５とが配置されている。
【００３０】
シート台８３の左右両側には操作台のフレーム８４が固定され、左右各フレーム８４に操作レバー８５Ｌ，８５Ｒが取り付けられていると共に、該操作レバー８５Ｌ，８５Ｒで操作されるパイロットバルブ８６が取り付けられている。
シート台８３の前側には、該シート台８３の前側開口を開閉自在に塞ぐ蓋体７６が設けられている。
この蓋体７６は、下端側がシート台８３の下端側に設けられた支持部材７７に左右軸回りに回動自在に支持され、蓋体７６の上端内面側には、シート台８３の上壁８３ｂに設けられた被係止部材７８に係脱自在に係合する係止部材７９が設けられ、係止部材７９の被係止部材７８に対する係合を外して、蓋体７６を前側に倒すことにより、シート台８３の前面を開放することができるように構成されている。
【００３１】
ステップ２８の前記開口部８１の前側には、ステップ２８上面側に着脱自在に取り付けらる蓋体によって開閉自在に閉塞される点検用開口８８が形成されている。
装着板８２の下面側に取付固定されたフィルタ装置７０はステップ２８に形成された前記開口部８１を介してステップ２８の下方側に突出状とされている。
このフィルタ装置７０は、エアコン本体６０に外気を導入するためのものであり、図１１、図１２及び図１４に示すように、装着板８２の下面にボルト等によって取付固定されたフィルタ収容部材９７と、該フィルタ収容部材９７の前側から挿脱自在に挿入されるフィルタ９８と、フィルタ９８の前方への移動を規制するフィルタ押え９９とを有する。
【００３２】
フィルタ収容部材９７は、左右側壁９７ａと、前後壁９７ｂ，９７ｃとを備え、下方及び上方に開口状に形成されており、外気がフィルタ収容部材９７の下面側の開口９１から取り入れられて、フィルタ９８内を流通してフィルタ収容部材９７の上面側の開口から流出するように構成されている。
フィルタ収容部材９７の前壁９７ｂ下部は切り欠かれていて、該フィルタ収容部材９７の前面下部が開放状とされていて、フィルタ９８がフィルタ収容部材９７の前面下部側から該フィルタ収容部材９７内に対して出し入れ自在とされている。
【００３３】
また、フィルタ収容部材９７の左右各側壁９７ａの内面には、フィルタ９８を前後方向移動自在に支持すると共に、フィルタ９８が下方に落ちないように保持するスライドレール１００が設けられている。
また、フィルタ押え９９は、フィルタ収容部材９７の前面下部の開放部分を塞ぐように配置され、上部がヒンジ１０１を介して左右軸回りに回動自在に取り付けられ、左右一方（左側）が、フィルタ収容部材９７の左側の側壁９７ａに設けられた係止部８７に止め具１０２によって係脱自在に係止されている。
【００３４】
止め具１０２はバネ板を折曲することによって形成され、係止部８７はロッドを折曲することにより形成されており、止め具１０２は係止部８７に対して、後方へ押圧することによって係合し、前方に引動することにより離反するように構成されており、フィルタ９８の交換が、工具なしに、ワンタッチで簡単に行えるように構成されている。
フィルタ収容部材９７の左右側壁９７ａ及び前後壁９７ｂ，９７ｃは、上端側で内側に折り返され、この折返し部分がシール部材を介して装着板８２の下面に接当している。
前記構成のものにあっては、フィルタ装置７０の前側に点検用開口８８が形成されていると共に、フィルタ９８がフィルタ収容部材９７の前側からフィルタ収容部材９７に対して挿脱自在とされているので、点検用開口８８を介してフィルタ９８の交換等が容易に行える。
【００３５】
内外気切換装置６５は、図１１〜図１３に示すように、内外気切換ボックス１０７と、該内外気切換ボックス１０７内に配置された切換ダンパ（内外気切換部材）１０８とを有する。
内外気切換ボックス１０７は、上壁１０７ａと、前後壁１０７ｂ，１０７ｃと、エアコン本体６０配置側とは反対側（左側）の側壁１０７ｄとを有し、下方及びエアコン本体６０配置側の側方（右方）に開放状とされていて、装着板８２にボルト等によって取付固定されている。
【００３６】
装着板８２には、内外気切換ボックス１０７内に位置していて内外気切換ボックス１０７内にフィルタ９８を通ったキャビン１２室外の外気を取り入れる外気導入部１０９が形成され、内外気切換ボックス１０７の前壁１０７ｂには内外気切換ボックス１０７内にキャビン１２室内の内気を取り入れる内気導入部１１０が形成されている。
内外気切換ボックス１０７の前壁１０７ｂは、上壁１０７ａ及び側壁１０７ｄとは別体で形成されていて、取外し自在とされている。
内外気切換ボックス１０７の前面側には、前壁１０７ｂの背面に接当する接当壁９２が前壁１０７ｂの外周縁に沿って形成されており、前壁１０７ｂの背面左側には、前壁１０７ｂとで前記接当壁９２の左側を挟む係止片９３が上下一対設けられている。
【００３７】
また、前壁１０７ｂの右側の上下方向中途部は、該前壁１０７ｂを貫通して、接当壁９２の右側背面の上下方向中途部に固着されたナット部材９４に螺合するネジ部９５を有す
る係止ハンドル９６によって、接当壁９２に固定される。
したがって、係止片９３と前壁１０７ｂとの間に接当壁９２が挿入するように、係止片９３を接当壁９２に係止させ、前壁１０７ｂの右側を係止ハンドル９６によって接当壁９２に固定することにより、該前壁１０７ｂが取外し自在に取り付けられている。
外気導入部１０９は、装着板８２に形成されていて前記フィルタ収容部材９７と内外気切換ボックス１０７内とを連通させる外気取入用開口１１１と、この外気取入用開口１１１の縁部全周から上方に延出された外気流通口１１２とからなり、この外気流通口１１２の上端縁部にはシール部材が設けられる。
【００３８】
内気導入部１１０は、内外気切換ボックス１０７の前壁１０７ｂに形成されていてキャビン１２室内と内外気切換ボックス１０７内とを連通させる内気取入用開口１１４と、この内気取入用開口１１４の縁部全周から後方に延出された内気流通口１１５とからなり、この内気流通口１１５の後端縁部にはシール部材が設けられる。
切換ダンパ１０８は、外気導入部１０９と、内気導入部１１０を塞ぐことが可能な矩形板状に形成されており、外気導入部１０９の上端のシール部材に接当して該外気導入部１０９の上端開口を塞ぐ内気導入状態と、内気導入部１１０の後端のシール部材に接当して該内気導入部１１０の後端開口を塞ぐ外気導入状態とに切換操作自在となるように回動自在に取り付けられている。
【００３９】
すなわち、内外気切換ボックス１０７内の前下部には左右方向の軸心を有する支軸１１７が設けられ、切換ダンパ１０８はこの支軸１１７に外嵌されたボス１１８を有し、切換ダンパ１０８を支軸１１７の軸心回りに回動させることにより、内気導入状態と外気導入状態とに切り換えられる。
前記支軸１１７は、内外気切換ボックス１０７の前壁１０７ｂに固定されたブラケット１１９と内外気切換ボックス１０７の側壁１０７ｄとで軸心回りに回動自在に支持され、切換ダンパ１０８のボス１１８は支軸１１７に一体回動自在に外嵌されている。
【００４０】
また、支軸１１７は内外気切換ボックス１０７の側壁１０７ｄから外方に突出しており、この突出部分にレバー１２０の一端側が固定されている。
このレバー１２０の他端側とシート台８３の側壁８３ａとの間にはナット部材１２１が配置されている。
一方、シート台８３の側壁８３ａにはガイド溝１２４が厚さ方向に貫通状に形成されており、このガイド溝１２４は前記支軸１１７の軸心を中心とする円弧状に形成されている。
【００４１】
このガイド溝１２４内に嵌合する嵌合部が前記ナット部材１２１に形成されており、ガイド溝１２４に沿ってナット部材１２１が摺動するように構成されている。
また、シート台８３の側壁８３ａの外面側には、座金１１３及びガイド溝１２４を挿通してナット部材１２１に螺合するネジ部１２２を有するハンドル１２３が配置され、該ハンドル１２３のネジ部１２２はナット部材１２１を貫通して前記レバー１２０を貫通しており、ハンドル１２３を把持して該ハンドル１２３をガイド溝１２４に沿って動かすことにより、レバー１２０を介して前記切換ダンパ１０８を操作できるように構成されている。
【００４２】
また、ハンドル１２３を回してネジ部１２２をナット部材１２１に対して締め付けることにより、切換ダンパ１０８の支軸１１７回りの回動が規制されるように構成されている。
また、ナット部材１２１は、該ナット部材１２１及びレバー１２０に亘って挿通されるピン１１６によってハンドル１２３との連れ回りの防止が図られている。
一方、内外気切換ボックス１０７の右側開口１２９から、エアコン本体６０左端側が内外気切換ボックス１０７内に挿入されていて、エアコン本体６０と内外気切換ボックス１０７とが連通常とされており、内外気切換ボックス１０７内に導入された内気又は外気は、エアコン本体６０の送風機によって吸引されてエアコン本体６０に流入するようになっている。
【００４３】
送風ダクト７１は、エアコン本体６０の右側下方から空調ボックス６６の下方に至るよ
うに形成され、ボルト等によってステップ２８下面に取付固定されている。
また、送風ダクト７１の後端側は、装着板８２に形成された通風口を介してエアコン本体６０に連通され、送風ダクト７１の前端側はステップ２８に形成された通風口１３１を介して空調ボックス６６内に連通されており、エアコン本体６０から送風機によって送り出された空調空気は、送風ダクト７１内を通って空調ボックス６６内に至り、空調ボックス６６に設けられた送出口６８，６９からキャビン１２室内に空調空気が流出するように構成されている。
【００４４】
図１６に示すように、空調ボックス６６の左側面には、空調空気が流出する送出口６８，６９が上下一対設けられ、上側の送出口６８は斜め上方で且つやや後方を向いており、下側の送出口６９は斜め上方で且つやや前方を向いており、上下の送出口６８，６９は前後方向に位置ズレしている。
なお、各送出口６８，６９には、風向きを変向可能な風向変向部材が設けられている。
前記フィルタ装置７０の下方側には、旋回台９のカバー体１１の側壁部１１ａに形成された前記外気取入れ口２１からの外気をフィルタ装置７０に案内する外気導入ダクト４２が配置されている。
【００４５】
この外気導入ダクト４２は、図１１〜図１５に示すように、上壁４２ａと、右側壁４２ｂと、前後壁４２ｃ，４２ｄとを有し、下方及び左方に開放状とされている。
前壁４２ｃの下端側には、前方に向けて折曲された取付壁４３が設けられ、後壁４２ｄの下端側には、後方に向けて折曲された取付壁４４が設けられ、各取付壁４３，４４がシール材を介して旋回基板２６上にボルト固定されており、外気導入ダクト４２の下面側が旋回基板２６によって塞がれている。
また、外気導入ダクト４２の左端側は旋回基板２６から左方に突出していて、カバー体１１の下壁部１１ｄの（第２の外気取り入れ口２５の）上方に位置している。
【００４６】
また、外気導入ダクト４２の左端側には接当部材４５が設けられ、この接当部材４５は、外気導入ダクト４２の上壁４２ａ上面に溶接固定された取付壁４５ａと、この取付壁４５ａの左端から上方側に立ち上がる接当壁４５ｂとから略Ｌ字状に形成されている。
一方、カバー体１１の内面側には、外気取入れ口２１の上側及び前後の３方を囲むように、下側開放状のコ字形に形成されたシール部材４６が設けられ、外気導入ダクト４２の前後壁４２ｃ，４２ｄの左端側及び前記接当壁４５ｂが、このシール部材４６を圧縮するようにして該シール部材４６に押し付けられている。
【００４７】
これによって、外気導入ダクト４２の左端開口４９と、外気取入れ口２１とが、これらの間のシール部材４６によって囲まれた空間を介して連通しており、外気取入れ口２１から取り入れられた旋回台９外の外気が外気導入ダクト４２内に流通するように構成されている。
また、第２の外気取入れ口２５から流入する旋回台９外の外気は外気導入ダクト４２の下面側の開放部分から外気導入ダクト４２内に流通する。
なお、第２の外気取入れ口２５の前後も、旋回基板２６側から延出される、取付壁４３，４４と旋回基板２６の間のシール材によってシールされる。
【００４８】
外気導入ダクト４２の上壁の右側には、フィルタ収容部材９７の下面側の開口と上下方向で対向する矩形状の孔からなる外気流出口４７が設けられている。
また、外気導入ダクト４２の上壁４２ａ右側とフィルタ収容部材９７との間には、シール部材４８が介装されている。
このシール部材４８は、前記外気流出口４７の開口縁部に沿って形成されていて該外気流出口４７を取り囲む矩形状に形成され、外気導入ダクト４２の上壁４２ａ上面に接当（又は接着）していると共に、フィルタ収容部材９７の下端側に圧縮状に押し付けられている。
【００４９】
したがって、外気導入ダクト４２を旋回基板２６に取り付け、ステップ２８にフィルタ装置７０を組み付けた状態で、ステップ２８を上方から下ろして旋回基板２６に取り付けることにより、外気流出口４７とフィルタ収容部材９７の下面側の開口９１とが連通するように構成されている。
また、外気導入ダクト４２内に取り入れられた外気は、外気流出口４７からシール部材４８内の空間を通過してフィルタ収容部材９７内に流通する。
フィルタ押え９９はシール部材４８の前面側に接当している。
【００５０】
なお、外気取入れ口２１はカバー体１１の前壁部１１ｂに形成されていてもよい。
【図面の簡単な説明】
【００５１】
【図１】バックホーの側面図である。
【図２】バックホーの平面図である。
【図３】（ａ）バックホーの正面図、（ｂ）はバックホーの背面図である。
【図４】旋回体の平面図である。
【図５】キャビン下部の側面図である。
【図６】キャビン下部の平面図である。
【図７】運転席回りの側面図である。
【図８】運転席回りの正面図である。
【図９】エアコン本体回りの配置構造を示す平面図である。
【図１０】ステップの平面図である。
【図１１】エアコン本体への内外気導入構造を示す正面図である。
【図１２】エアコン本体への内外気導入構造を示す側面図である。
【図１３】エアコン本体への内外気導入構造を示す平面図である。
【図１４】外気導入構造を示す平面図である。
【図１５】外気導入構造を示す正面断面図である。
【図１６】空調ボックスの、側面図、正面図及び平面図である。
【符号の説明】
【００５２】
２    走行装置
９    旋回台
１１ａ  側壁部
１２    キャビン
２１    外気取り入れ口
２６    旋回基板
２８    ステップ
６０    エアコン本体
６４    運転席
６５    内外気切換装置
４２    外気導入ダクト
４７    外気流出口
７０    フィルタ装置
８１    開口部
８２    装着板
９１    開口
９７    フィルタ収容部材
９８    フィルタ
Ｘ    旋回軸心
【図１】
2006273055.tif 000003
【図２】
2006273055.tif 000004
【図３】
2006273055.tif 000005
【図４】
2006273055.tif 000006
【図５】
2006273055.tif 000007
【図６】
2006273055.tif 000008
【図７】
2006273055.tif 000009
【図８】
2006273055.tif 000010
【図９】
2006273055.tif 000011
【図１０】
2006273055.tif 000012
【図１１】
2006273055.tif 000013
【図１２】
2006273055.tif 000014
【図１３】
2006273055.tif 000015
【図１４】
2006273055.tif 000016
【図１５】
2006273055.tif 000017
【図１６】
2006273055.tif 000018